(57)【要約】      （修正有）【課題】ナースコール親機に記憶される患者情報のバックアップ保存機能を院内及び／又は外部に備え、地震速報の受信による危険の予知が可能な状況において、患者情報を迅速かつ確実にバックアップ保存するとともに的確な警報発報を行う。【解決手段】ベッド子機１ａ、１ｂ、・・・１ｎ、からの呼び出し廊下灯２、及び制御機９を経由して報知され、当該呼び出しに応答して通話を成立させるナースコール親機３に記憶される呼出元のベッド子機が有する子機番号、患者の氏名、看護履歴等の患者情報は、外部警報機器８からの緊急地震速報が受信されたことを検出した制御機の制御により読み出され、院内サーバ５及び／又は外部サーバ６へ迅速に転送されて確実にバックアップ保存することができ、患者情報に重要度が付加されている場合には、この重度度に対応してバックアップ保存することができる。また、警報発報を、制御機の制御により行うことができる。【選択図】図１
2009153781.tif 000002
【特許請求の範囲】
【請求項１】
患者が看護師を呼び出して通話を成立させるためのベッド子機（１ａ、１ｂ、・・・１ｎ、１ａ、１ｂ、・・・１ｎ、・・・）と、前記ベッド子機からの呼び出しを報知するための廊下灯（２、２、・・・）と、前記ベッド子機からの呼び出しを報知し、当該呼び出しに応答した前記看護師が前記患者との間で前記通話を成立させるとともに呼出元のベッド子機が有する子機番号、前記患者の氏名、看護履歴等の患者情報を記憶するためのナースコール親機（３）と、前記ナースコール親機に記憶された患者情報をバックアップ保存するための院内サーバ（５）と、前記ベッド子機からの呼び出しを前記廊下灯を経由して検出し、前記ナースコール親機への呼出報知を制御するとともに、前記廊下灯を経由して前記ベッド子機及び前記ナースコール親機の間で成立される前記通話を制御するための制御機（９）とを設け、
前記制御機は、地震の発生を示す緊急地震速報を生成するための外部警報機器（８）が接続され、前記外部警報機器からの前記緊急地震情報が受信されたとき、前記ナースコール親機に記憶された前記患者情報を前記院内サーバに転送してバックアップ保存させることを特徴とするナースコールシステム。
【請求項２】
患者が看護師を呼び出して通話を成立させるためのベッド子機（１ａ、１ｂ、・・・１ｎ、１ａ、１ｂ、・・・１ｎ、・・・）と、前記ベッド子機からの呼び出しを報知するための廊下灯（２、２、・・・）と、前記ベッド子機からの呼び出しを報知し、当該呼び出しに応答した前記看護師が前記患者との間で前記通話を成立させるとともに呼出元のベッド子機が有する子機番号、前記患者の氏名、看護履歴等の患者情報を記憶するためのナースコール親機（３）と、前記ベッド子機からの呼び出しを前記廊下灯を経由して検出し、前記ナースコール親機への呼出報知を制御するとともに、前記廊下灯を経由して前記ベッド子機及び前記ナースコール親機の間で成立される前記通話を制御するための制御機（９）とを設け、
前記ナースコール親機には、当該ナースコール親機に記憶された前記患者情報をバックアップ保存するための外部サーバ（６）が接続され、
前記制御機は、前記外部警報機器からの前記緊急地震情報が受信されたとき、前記ナースコール親機に記憶された前記患者情報を前記外部サーバに転送してバックアップ保存させることを特徴とするナースコールシステム。
【請求項３】
前記制御機は、前記外部警報機器にて前記緊急地震情報が受信されたとき、前記ベッド子機、前記廊下灯及び前記ナースコール親機のうち少なくとも１の機器にて警報発報を行うことを特徴とする請求項１又は請求項２記載のナースコールシステム。
【請求項４】
前記ナースコール親機は、前記患者情報に重要度を付加して記憶する機能を有し、
前記制御機は、前記外部警報機器からの前記緊急地震情報が受信されたとき、前記ナースコール親機に記憶された前記患者情報を前記重要度に対応させて前記院内サーバ及び／又は前記外部サーバに転送してバックアップ保存させることを特徴とする請求項１又は請求項２記載のナースコールシステム。
【請求項５】
前記制御機は、前記ナースコール親機に記憶された前記患者情報のうち前記緊急地震情報の受信時から地震の予定到着時までの時間内にバックアップ保存できる前記患者情報を、前記重要度の高い順に前記院内サーバ及び／又は前記外部サーバに転送してバックアップ保存させることを特徴とする請求項４記載のナースコールシステム。
【請求項６】
前記制御機は、前記ナースコール親機、前記院内サーバ及び前記外部サーバのハードディスク（３００、５００、６００）に対して、前記バックアップ保存の動作完了後、前記地震の予定到着時までの時間内にヘッド部分をシッピングゾーンに移動させることを特徴とする請求項１乃至請求項５のうち何れか１項記載のナースコールシステム。
【発明の詳細な説明】
【技術分野】
【０００１】
本発明は、病院や介護・福祉施設に設置されるナースコールシステムに係り、特に、緊急地震速報の受信による危険の予知が可能な状況において、患者情報を迅速かつ確実にバックアップ保存するとともに的確な警報発報を行うことができるナースコールシステムに関する。
【背景技術】
【０００２】
従来から、この種のナースコールシステムとして、患者名、性別、年齢、担当医師、担当看護師、救護区分等の患者情報をナースコール親機等で確認するにあたり、その患者情報がオーダリングシステムで変更された場合において、当該変更された患者情報を確実に担当看護師に伝えることができるナースコールシステムが開示されている（例えば、特許文献１を参照。）。
【０００３】
【特許文献１】特開２００７−２５２６５２号公報
【発明の開示】
【発明が解決しようとする課題】
【０００４】
背景技術に記載した特許文献１のナースコールシステムによれば、オーダリングシステムで患者情報が変更された場合にのみ当該変更された患者情報を確実に担当看護師に伝えることができるものの、例えば、緊急地震速報の受信による危険の予知が可能な状況において患者情報をバックアップ保存することができなかった。
【０００５】
また、患者情報をバックアップ保存するにあたっては、その保存動作が定期的に行われることが多く、前述と同様に緊急地震速報の受信による危険の予知が可能な状況において迅速なバックアップ保存ができず、さらには、当該ナースコールシステムが設置される病院や介護・福祉施設院内にバックアップ保存用のサーバを設けた場合であっても、実際に地震が発生して当該病院や介護・福祉施設が倒壊してしまうと、サーバまでも破壊されてしまう可能性が高かった。
【０００６】
本発明は、これらの難点を解消するためになされたもので、ナースコール親機に記憶される患者情報のバックアップ保存機能を院内及び／又は外部に備え、緊急地震速報の受信による危険の予知が可能な状況において、患者情報を迅速かつ確実にバックアップ保存するとともに的確な警報発報を行うことができるナースコールシステムを提供することを目的としている。
【課題を解決するための手段】
【０００７】
前述の目的を達成するため、本発明の第１の態様であるナースコールシステムは、患者が看護師を呼び出して通話を成立させるためのベッド子機と、ベッド子機からの呼び出しを報知するための廊下灯と、ベッド子機からの呼び出しを報知し、当該呼び出しに応答した看護師が患者との間で通話を成立させるとともに呼出元のベッド子機が有する子機番号、患者の氏名、看護履歴等の患者情報を記憶するためのナースコール親機と、ナースコール親機に記憶された患者情報をバックアップ保存するための院内サーバと、ベッド子機からの呼び出しを廊下灯を経由して検出し、ナースコール親機への呼出報知を制御するとともに、廊下灯を経由してベッド子機及びナースコール親機の間で成立される通話を制御するための制御機とを設けたものである。制御機は、地震の発生を示す緊急地震速報を生成するための外部警報機器が接続され、外部警報機器からの緊急地震情報が受信されたとき、ナースコール親機に記憶された患者情報を院内サーバに転送してバックアップ保存させるものである。
【０００８】
また、本発明の第２の態様であるナースコールシステムは、患者が看護師を呼び出して通話を成立させるためのベッド子機と、ベッド子機からの呼び出しを報知するための廊下灯と、ベッド子機からの呼び出しを報知し、当該呼び出しに応答した看護師が患者との間で通話を成立させるとともに呼出元のベッド子機が有する子機番号、患者の氏名、看護履歴等の患者情報を記憶するためのナースコール親機と、ベッド子機からの呼び出しを廊下灯を経由して検出し、ナースコール親機への呼出報知を制御するとともに、廊下灯を経由してベッド子機及びナースコール親機の間で成立される通話を制御するための制御機とを設けたものである。ナースコール親機には、当該ナースコール親機に記憶された患者情報をバックアップ保存するための外部サーバが接続されている。制御機は、外部警報機器からの緊急地震情報が受信されたとき、ナースコール親機に記憶された患者情報を外部サーバに転送してバックアップ保存させるものである。
【０００９】
また、本発明の第３の態様であるナースコールシステムは、本発明の第１の態様又は第２の態様において、制御機は、外部警報機器からの緊急地震情報が受信されたとき、子機、廊下灯及びナースコール親機のうち少なくとも１の機器にて警報発報を行うものである。
【００１０】
また、本発明の第４の態様であるナースコールシステムは、本発明の第１の態様又は第２の態様において、ナースコール親機は、患者情報に重要度を付加して記憶する機能を有している。制御機は、外部警報機器からの緊急地震情報が受信されたとき、ナースコール親機に記憶された患者情報を重要度に対応させて院内サーバ及び／又は外部サーバに転送してバックアップ保存させるものである。
【００１１】
また、本発明の第５の態様であるナースコールシステムは、本発明の第４の態様において、制御機は、ナースコール親機に記憶された患者情報のうち緊急地震情報の受信時から地震の予定到着時までの時間内にバックアップ保存できる患者情報を、重要度の高い順に院内サーバ及び／又は外部サーバに転送してバックアップ保存させるものである。
【００１２】
また、本発明の第６の態様であるナースコールシステムは、本発明の第１の態様乃至第５の態様のうち何れか１の態様において、制御機は、ナースコール親機、院内サーバ及び外部サーバのハードディスクに対して、バックアップ保存の動作完了後、地震の予定到着時までの時間内にヘッド部分をシッピングゾーンに移動させるものである。
【発明の効果】
【００１３】
本発明のナースコールシステムによれば、ベッド子機からの呼び出しが廊下灯及び制御機を経由して報知され、当該呼び出しに応答して通話を成立させるナースコール親機に記憶される呼出元のベッド子機が有する子機番号、患者の氏名、看護履歴等の患者情報は、外部警報機器からの緊急地震速報が受信されたことを検出した制御機の制御により読み出され、院内サーバ及び／又は外部サーバへ迅速に転送されて確実にバックアップ保存することができる。また、外部警報機器からの緊急地震速報が受信され地震の発生の警報が可能となった旨の警報発報を、制御機の制御によりベッド子機、廊下灯及びナースコール親機のうち少なくとも１の機器にて行うことができる。また、ナースコール親機に記憶される患者情報に重要度が付加されている場合、その重要度に対応させて患者情報が院内サーバ及び／又は外部サーバへ迅速に転送され確実にバックアップ保存することができるばかりでなく、外部警報機器からの緊急地震速報が受信される受信時から地震の予定到着時までの時間内に優先度の高い順に院内サーバ及び／又は外部サーバへ迅速に転送され確実にバックアップ保存することができる。さらに、制御機は、患者情報が記憶／バックアップ保存されるナースコール親機のハードディスク、院内サーバのハードディスク及び外部サーバのハードディスクに対して、患者情報のバックアップ保存の動作完了後、地震の予定到着時までの時間内に、安全な場所とされるシッピングゾーンにヘッド部分を移動させることができるため、当該ハードディスクのクラッシュの発生を抑えることができる。
【発明を実施するための最良の形態】
【００１４】
以下、本発明のナースコールシステムを適用した最良の実施の形態例について、図面を参照して説明する。
【００１５】
図１は、本発明の実施例によるナースコールシステムの構成を示すシステム説明図である。このナースコールシステムは、病院や福祉・介護施設に設置されるものであり、ベッド子機１ａ、１ｂ、・・・１ｎ、１ａ、１ｂ、・・・１ｎ、・・・、廊下灯２、２、・・・、ナースコール親機３、オーダリングシステム４、院内サーバ５、外部サーバ６、共通バス７、外部警報機器８及び制御機９が備えられている。
【００１６】
ここで、ベッド子機１ａ、１ｂ、・・・１ｎ、１ａ、１ｂ、・・・１ｎ、・・・はそれぞれ同様な構成であり個別の子機番号を有し、Ａ号室、Ｂ号室、・・・のような複数の病室（但し、福祉・介護施設においては居室とする。）毎の各病床、各トイレ、各風呂にそれぞれ設置され、患者が看護師を呼び出して通話を成立させる、例えば、ナースセンター（但し、福祉・介護施設においてはスタッフセンターとする。）内に在室中の看護師を呼び出して通話を成立させるためのものである。
【００１７】
また、廊下灯２、２、・・・はそれぞれ同様な構成であり個別の廊下灯番号を有し、Ａ号室、Ｂ号室、・・・のような複数の病室の当該病室外の通話壁面等の廊下に設置され（病室毎の）子機ラインＬ1、Ｌ1、・・・を経由して接続、例えば、渡り配線接続されるベッド子機１ａ、１ｂ、・・・１ｎ、１ａ、１ｂ、・・・１ｎ、・・・からの呼び出しを報知するためのものである。なお、廊下灯２、２、・・・及びベッド子機１ａ、１ｂ、・・・１ｎ、１ａ、１ｂ、・・・１ｎ、・・・の間の接続は、前述のような子機ラインＬ1、Ｌ1、・・・の経由による渡り配線接続の形態に限定されるものではなく、例えば、バス接続することもできる。
【００１８】
ナースコール親機３は、ナースセンター内に設置され、ベッド子機１ａ、１ｂ、・・・１ｎ、１ａ、１ｂ、・・・１ｎ、・・・からの呼び出しを報知し、当該呼び出しに応答した看護師が患者との間で通話を成立させるためのものであり、呼出元の当該ベッド子機が有する子機番号、患者の氏名、性別、年齢、担当医師、担当看護師、救護区分、看護履歴等の患者情報を記憶するためのハードディスク３００を有している。
【００１９】
また、オーダリングシステム４は、ナースコール親機３のハードディスク３００に記憶させる患者情報や病院内（福祉・介護施設内）の会計システム、電子カルテ等の入力を行うためのものであり、共通バス７にバス接続されている。
【００２０】
また、院内サーバ５は、病院内（福祉・介護施設内）の所定の位置に地震等の影響を受け難い状態で設置され、サーバラインＬ2を経由して接続されるナースコール親機３のハードディスク３００に記憶された患者情報をバックアップ保存するためのハードディスク５００を有しており、防滴・耐衝撃・耐圧迫性能を備えている。
【００２１】
また、外部サーバ６は、病院や福祉・介護施設と離れた遠隔地に地震等の影響を受け難い状態で設置され、かつ共通バス７を経由してナースコール親機３及びオーダリングシステム４にそれぞれ接続、例えば、バス接続され、ナースコール親機３のハードディスク３００に記憶された患者情報をバックアップ保存するためのハードディスク６００を有しており、防滴・耐衝撃・耐圧迫性能を備えている。
【００２２】
また、共通バス７は、例えば、インターネット等の公衆ＬＡＮにて構成されるものであり、ナースコール親機３、オーダリングシステム４及び外部サーバ６がそれぞれバス接続されている。
【００２３】
また、外部警報機器８は、例えば、気象庁に設置され、地震の発生を示す緊急地震速報を生成するためのものである。
【００２４】
さらに、制御機９は、廊下灯ラインＬ3に接続、例えば、バス接続される廊下灯２、２、・・・、子機ラインＬ1、Ｌ1、・・・を経由してベッド子機１ａ、１ｂ、・・・１ｎ、１ａ、１ｂ、・・・１ｎ、・・・からの呼び出しを検出し、親機ラインＬ4を経由してナースコール親機３への呼出報知を制御するとともに、前述の廊下灯２、２、・・・を経由してベッド子機１ａ、１ｂ、・・・１ｎ、１ａ、１ｂ、・・・１ｎ、・・・及びナースコール親機３の間で成立させる通話を制御するものである。また、制御機９は、前述の機能のみならず、外部ラインＬ5を経由して接続される外部警報機器８からの緊急地震速報が受信されたとき、ナースコール親機３のハードディスク３００に記憶されている患者情報の読出制御を行うとともに、ベッド子機１ａ、１ｂ、・・・１ｎ、１ａ、１ｂ、・・・１ｎ、・・・、廊下灯２、２、・・・及びナースコール親機３のうち少なくとも１の機器への警報発報制御を行うことができる。
【００２５】
このように構成された本発明の実施例によるナースコールシステムにおいて、以下、具体的な動作について説明する。
【００２６】
図１に示すベッド子機１ａ、１ｂ、・・・１ｎ、１ａ、１ｂ、・・・１ｎ、・・・のうち特定のベッド子機、ここでは、Ａ号室のベッド子機１ａが設置された各病床、各トイレ、各風呂に居る患者がナースセンター内に在室中の看護師を呼び出すために、ベッド子機１ａにて所定の呼出操作を行うと、この操作を検出したベッド子機１ａは、自ベッド子機が有する子機番号を付加した呼出信号を生成する。また、ベッド子機１ａにて生成された呼出信号は、子機ラインＬ1を経由してＡ号室の病室外の通話壁面等の廊下に設置された廊下灯２に伝送される。
【００２７】
Ａ号室の病室外の通話壁面等の廊下に設置された廊下灯２は、受信した呼出信号に付加される子機番号をもとに自病室内のベッド子機１ａが設置された各病床、各トイレ、各風呂に居る患者からの呼び出しがあることを検出し、その旨の呼出報知を行うとともに、受信した呼出信号に自廊下灯が有する廊下灯番号を付加した後、廊下灯ラインＬ3を経由して制御機９に送出する。
【００２８】
制御機９は、受信した呼出信号に付加されている子機番号及び廊下灯番号をもとにＡ号室のベッド子機１ａが設置された各病床、各トイレ、各風呂に居る患者からの呼び出しがあることを検出するとともに、受信した呼出信号を、親機ラインＬ4を経由してナースコール親機３に送出する。
【００２９】
ナースコール親機３は、前述の制御機９と同様、受信した呼出信号に付加されている子機番号及び廊下灯番号をもとにＡ号室のベッド子機１ａが設置された各病床、各トイレ、各風呂に居る患者からの呼び出しがあることを検出するとともに、その旨の呼出報知を行うことができる。また、ナースコール親機３は、Ａ号室のベッド子機１ａが設置された各病床、各トイレ、各風呂に居る患者からの呼び出しがある旨の呼出情報を、例えば、呼出元のベッド子機１ａが有する子機番号、患者の氏名、性別、年齢、担当医師、担当看護師、救護区分、看護履歴、呼出時刻等を含む患者情報として、ハードディスク３００に記憶することができる。
【００３０】
この後、Ａ号室のベッド子機１ａが設置された各病床、各トイレ、各風呂に居る患者からの呼び出しがあることを確認したナースセンター内に在室中の看護師がナースコール親機３にて所定の応答操作を行うと、このナースコール親機３にて生成され親機ラインＬ4を経由して伝送されてくる応答信号を受信した制御機９の制御により、Ａ号室のベッド子機１ａが有する通話機能と、子機ラインＬ1、Ａ号室の病室外の通話壁面等の廊下に設置された廊下灯２、廊下灯ラインＬ3、当該制御機、親機ラインＬ4を経由してナースコール親機３が有する通話機能との間の信号伝送路が形成され、形成された信号伝送路を経由して音声信号を送受信させることで通話が成立する。なお、前述の通話が成立されている旨の通話情報は、例えば、呼出元及び通話成立元のベッド子機１ａが有する子機番号、患者の氏名、性別、年齢、担当医師、担当看護師、救護区分、看護履歴、通話の開始時刻（及び終了時刻）等を含む患者情報として、制御機９の制御によりナースコール親機３のハードディスク３００に記憶されることになる。
【００３１】
前述のように、ナースコール親機３は、Ａ号室、Ｂ号室、・・・のような複数の病室毎の各病床、各トイレ、各風呂にそれぞれ設置されるベッド子機１ａ、１ｂ、・・・１ｎ、１ａ、１ｂ、・・・１ｎ、・・・からの呼び出しがあったときには、その旨の呼出報知を行うことができるばかりでなく、各患者からの呼び出しがある旨の呼出情報を、例えば、呼出元の当該ベッド子機が有する子機番号、各患者の氏名、性別、年齢、担当医師、担当看護師、救護区分、看護履歴、呼出時刻等を含む患者情報としてハードディスク３００に記憶することができる。また、ナースセンター内に在室中の看護師により応答があり通話が成立された旨の通話情報は、例えば、呼出元及び通話成立元の当該ベッド子機が有する子機番号、各患者の氏名、性別、年齢、担当医師、担当看護師、救護区分、看護履歴、通話の開始時刻（及び終了時刻）等を含む患者情報として、制御機９の制御によりナースコール親機３のハードディスク３００に記憶されることになる。
【００３２】
また、ナースコール親機３のハードディスク３００には、ナースセンター内に在室中の看護師により自親機にて入力される病院内（福祉・介護施設内）の会計システム、電子カルテ等、又はオーダリングシステム４にて入力され共通バス７を経由して伝送されてくる病院内（福祉・介護施設内）の会計システム、電子カルテ等を記憶することもできる。
【００３３】
さらに、ナースコール親機３は、ハードディスク３００に記憶される患者情報に重要度付加することができる。例えば、救護区分に対応させた重要度Ａ、Ｂ、Ｃを患者情報に付加することができる。ここで、重要度のレベルは、Ａ：高レベル、Ｂ：中レベル、Ｃ：低レベルとする。なお、重要度のレベルは、Ａ、Ｂ、Ｃの３段階に限定されるものではなく、任意の段階でレベル設定することができる。
【００３４】
次に、前述のような患者情報がナースコール親機３のハードディスク３００に予め記憶されている状態において、例えば、気象庁に設置された外部警報機器８にて地震の発生を示す緊急地震速報が生成されると、制御機９は、この緊急地震速報の受信により危険の予知が可能となり、ナースコール親機３のハードディスク３００から患者情報を読み出して院内サーバ５及び外部サーバ６へ迅速に転送させるとともに所定の警報発報を行うための制御信号を生成する。また、制御機９にて生成された制御信号は、親機ラインＬ4を経由してナースコール親機３に伝送される。
【００３５】
ナースコール親機３は、制御機９からの制御信号を受信すると、ハードディスク３００に予め記憶されている患者情報を読み出し、サーバラインＬ2を経由して院内サーバ５へ迅速に転送してハードディスク５００へ確実にバックアップ保存させる、及び共通バス７を経由して外部サーバ６へ迅速に転送してハードディスク６００へ確実にバックアップ保存させるとともに、外部警報機器８からの緊急地震速報が受信され地震の発生の警報が可能となった旨の警報発報を行うことができる。
【００３６】
なお、前述までの説明によれば、外部警報機器８からの緊急地震速報が受信され地震の発生の警報が可能となった旨の警報発報を行う機器としてナースコール親機３を適用したが、この態様に限定されるものではない。例えば、所定の警報発報を行う機器として、制御機９は、ベッド子機１ａ、１ｂ、・・・１ｎ、１ａ、１ｂ、・・・１ｎ、・・・、廊下灯２、２、・・・及びナースコール親機３のうち少なくとも１の機器を指定し、所定の警報発報を行うこともできる。これにより、病院や福祉・介護施設において、より的確な警報発報が可能となり避難等の迅速な対応に繋がる。
【００３７】
次に、前述のようにナースコール親機３のハードディスク３００に予め記憶されている患者情報を、院内サーバ５及び外部サーバ６へ迅速に転送させるにあたり、この患者情報に重要度Ａ、Ｂ、Ｃが付加されている場合には、例えば、高レベルの重要度Ａが付加された患者情報のみ、中レベルの重要度Ｂが付加された患者情報のみ、低レベルの重要度Ｃが付加された患者情報のみのように、その重要度に対応させて患者情報を迅速に転送させ、ハードディスク５００、６００へ確実にバックアップ保存することもできる。
【００３８】
また、ナースコール親機３のハードディスク３００に予め記憶されている患者情報に重要度Ａ、Ｂ、Ｃが付加されている場合、制御機９は、外部警報機器８からの緊急地震速報が受信される受信時から地震の予定到着時までの時間内に院内サーバ５のハードディスク５００及び外部サーバ６のハードディスク６００へ確実にバックアップ保存できる患者情報として、高レベルの重要度Ａが付加された患者情報を優先し、その後、中レベルの重要度Ｂが付加された患者情報、低レベルの重要度Ｃが付加された患者情報の順で迅速に転送させ、ハードディスク５００、６００へ確実にバックアップ保存することもできる。
【００３９】
さらに、制御機９は、ナースコール親機３のハードディスク３００、院内サーバ５のハードディスク５００及び外部サーバ６のハードディスク６００に対して、前述の患者情報のバックアップ保存の動作完了後、地震の予定到着時までの時間内に、安全な場所とされるシッピングゾーンにヘッド部分を移動させることができるため、当該ハードディスクのクラッシュの発生を抑えることができる。
【００４０】
なお、前述までの説明では、ナースコール親機３のハードディスク３００に予め記憶されている患者情報を転送させるサーバとして、院内サーバ５及び外部サーバ６の２種の当該サーバを指定したが、この態様に限定されるものではない。例えば、院内サーバ５又は外部サーバ６を制御機９の制御により指定し、指定された当該サーバにのみ患者情報を迅速に転送して確実にバックアップ保存することもできる。
【００４１】
最後に、本発明のナースコールシステムにおいては、特定の実施の形態をもって説明してきたが、この形態に限定されるものでなく、本発明の効果を奏する限り、これまで知られた如何なる構成のナースコールシステム、例えば、患者の呼出相手先として、ナースセンター内に在室中の看護師のみならず、制御機９により制御（呼出報知制御、通話路形成制御）される無線端末を携行可能な巡回中の看護師を呼び出して通話を成立させることができるナースコールシステムであっても採用できるということはいうまでもないことである。
【図面の簡単な説明】
【００４２】
【図１】本発明の実施例によるナースコールシステムの全体構成を示すシステム説明図。
【符号の説明】
【００４３】
１ａ、１ｂ、・・・１ｎ、１ａ、１ｂ、・・・１ｎ、・・・……ベッド子機
２、２、・・・……廊下灯
３……ナースコール親機
３００……ハードディスク
５……院内サーバ
５００……ハードディスク
６……外部サーバ
６００……ハードディスク
８……外部警報機器
９……制御機
【図１】
2009153781.tif 000003